(57)【特許請求の範囲】
【請求項１】
弾性変形可能な低発泡ポリエチレン又は低発泡ポリプロピレンから成る硬質保護板（５）を内有する防具本体部（１）の表て面（１Ａ）に、緩衝片部（２）が縫着され、
上記防具本体部（１）の表て面（１Ａ）と上記緩衝片部（２）の裏面（２Ｂ）との間に、上下方向に開口して上記緩衝片部（２）の変形を許容するための空隙部（１０）が形成されたことを特徴とするエルボガード。
【請求項２】
上記緩衝片部（２）は、左右両側縁部（２Ａ）（２Ａ）に沿って縫着線部（７）（７）が縫製されている請求項１記載のエルボガード。
【発明の詳細な説明】
【技術分野】
【０００１】
本発明は、球技用のエルボガードに関する。
【背景技術】
【０００２】
従来、野球やソフトボール等の球技に於て、投球されたボールが打者の腕に直接当たらないようにしてケガを防止するエルボガードが使用されている（特許文献１参照）。
【先行技術文献】
【特許文献】
【０００３】
【特許文献１】特表２００３−５０５１７３号公報
【発明の概要】
【発明が解決しようとする課題】
【０００４】
しかし、特許文献１記載のエルボガードは、投球されたボールの衝撃で使用者の腕を打撲させたり骨折させたりしないよう剛性を高く設定する必要があり、外側の硬質剛性基材の厚さ寸法を大きくしなければならなかった。また、硬質剛性基材を厚くすることで、エルボガードの重量が重くなり、プレーの邪魔になるという欠点があった。
【０００５】
そこで、本発明は、軽量で、かつ、投球されたボールの衝撃から打者の腕を確実に保護し得るエルボガードを提供することを目的とする。
【課題を解決するための手段】
【０００６】
本発明に係るエルボガードは、弾性変形可能な低発泡ポリエチレン又は低発泡ポリプロピレンから成る硬質保護板を内有する防具本体部の表て面に、緩衝片部が縫着され、上記防具本体部の表て面と上記緩衝片部の裏面との間に、上下方向に開口して上記緩衝片部の変形を許容するための空隙部が形成されたものである。
また、上記緩衝片部は、左右両側縁部に沿って縫着線部が縫製されているものである。
【発明の効果】
【０００７】
本発明のエルボガードによれば、空隙部によって緩衝片部の変形が許容されてボールの衝撃エネルギーを瞬間的に吸収でき、打者の腕を確実に保護できる。軽量化でき、プレーの邪魔にならず、打者が快適にプレーできる。
【図面の簡単な説明】
【０００８】
【図１】本発明の実施の一形態を示した斜視図である。
【図２】本発明の実施の一形態を示す断面平面図であり、（ｂ）は防具本体部の拡大断面平面図であり、（ｃ）は緩衝片部の拡大断面平面図である。
【図３】本発明の他の実施形態を示した斜視図である。
【図４】本発明の他の実施形態を示す断面平面図である。
【図５】本発明の別の実施形態を示す断面平面図である。
【図６】本発明のエルボガードの作用を説明するための簡略図である。
【図７】本発明のエルボガードの作用を説明するための斜視図である。
【発明を実施するための形態】
【０００９】
以下、実施の形態を示す図面に基づき本発明を詳説する。
図１と図２に示すように、本発明のエルボガードは、防具本体部１の表て面１Ａに、緩衝片部２が一体に縫着されている。
防具本体部１は、横断面が弓形弯曲状の硬質保護板５を内有し、自由状態で、全体がアーチ型の弯曲形状に形成されている。防具本体部１は、図２（ａ）と（ｂ）に示すように、ナイロン系又はポリエステル系合成樹脂から成る表皮２６と、弾性変形可能な低発泡ポリエチレン又は低発泡ポリプロピレンから成る硬質保護板５と、ポリエチレン系発泡樹脂又はポリウレタン系発泡樹脂から成る発泡内装体２７と、ナイロン系又はポリエステル系合成樹脂から成る裏地２８とを、順次積層し、外周縁の全周にわたって縁巻部２９が縫製されている。また、防具本体部１の裏面１Ｂ（肌対応面）には、全面にわたって面状ファスナーの雌部１９が形成されている。防具本体部１の左側縁部又は右側縁部には装着用ベルト３０が付設されている。
【００１０】
緩衝片部２は、図２（ａ）と（ｃ）に示すように、ナイロン系又はポリエステル系合成樹脂あるいは合成皮革から成る表皮１１と、低発泡ポリエチレン又は低発泡ポリプロピレンから成る複数の硬質芯材２０と、ポリエチレン系発泡樹脂又はポリウレタン系発泡樹脂から成る発泡体１２と、ナイロン系又はポリエステル系合成樹脂あるいは合成皮革から成る裏地１３とを、順次積層し、外周縁の全周にわたって縁巻部１６が縫製されている。
【００１１】
硬質芯材２０は、帯板状に形成されて上下方向に配設されている。また、硬質芯材２０は、弾性変形可能である。複数の硬質芯材２０の内、中央に比較的幅の広い（面積大の）硬質芯材２０Ａを配設し、その両隣に比較的幅の狭い（面積小の）硬質芯材２０Ｂ，２０Ｂを配設している。緩衝片部２は、中央の硬質芯材２０Ａと隣り合う硬質芯材２０Ｂ，２０Ｂの間に、上下方向の縫い目（ステッチ）２１，２１を縫製することで、発泡体１２が圧縮されて窪み２２が凹設され、窪み２２（縫い目２１）に沿って折曲自在に形成されている。なお、緩衝片部２は、硬質芯材２０Ｂ，２０Ｂの左右外方に近接して縫い目２３，２３が縫製されている。
【００１２】
図１と図２に示すように、緩衝片部２は、左右両側縁部２Ａ，２Ａに沿って縫着線部７，７が縫製され、防具本体部１に一体に縫着されている。
緩衝片部２は、縫い目２１，２１に沿って折曲げられて横断面門型の姿勢となり、左右両側縁部２Ａ，２Ａが縫着線部７，７にて防具本体部１に一体に縫着されて、横断面門型の姿勢を保持し、防具本体部１の表て面１Ａと緩衝片部２の裏面２Ｂとの間に、緩衝片部２の変形を許容するための空隙部１０が形成されている。
【００１３】
次に、本発明の他の実施形態について説明する。
図３，図４では、緩衝片部２は、表皮１１と、低発泡ポリエチレン又は低発泡ポリプロピレンから成る硬質弯曲芯材６と、裏地１３とを、順次積層している。外周縁の全周にわたって縁巻部１６が縫製されている。緩衝片部２は、硬質弯曲芯材６の左右外方に近接して縫い目２４，２４が縫製されている。
防具本体部１は、図１〜図４と同様の構成であるため詳しい説明を省略する。
硬質弯曲芯材６は、横断面弯曲状に形成された１枚物の樹脂成形品であって、弾性変形可能である。硬質弯曲芯材６は、防具本体部１が内有する硬質保護板５の曲率半径Ｒ１より小さな曲率半径Ｒ２にて弯曲している。即ち、緩衝片部２は、自由状態で、防具本体部１より小さなアーチ型の弯曲形状である。
本発明に於て、硬質保護板５の曲率半径Ｒ１とは、中心点Ｏ１から硬質保護板５の内周面までの距離とし、硬質弯曲芯材６の曲率半径Ｒ２とは、中心点Ｏ２から硬質弯曲芯材６の内周面までの距離とする。
【００１４】
図３と図４に示すように、緩衝片部２は、左右両側縁部２Ａ，２Ａに沿って縫着線部７，７が縫製されて、防具本体部１に一体に縫着されている。防具本体部１の表て面１Ａと緩衝片部２の裏面２Ｂとの間には、横断面三日月形状の空隙部１０が形成されている。
【００１５】
次に、図５では、緩衝片部２は、表皮１１と、ポリエチレン系発泡樹脂又はポリウレタン系発泡樹脂から成る発泡体１２と、裏地１３とを、順次積層している。防具本体部１は、図１〜図４と同様の構成である。
緩衝片部２は、自由状態で、防具本体部１より小さなアーチ型の弯曲形状に形成されている。発泡体１２は、厚み方向の弾性圧縮変形にて（ボール等の）衝撃を吸収する。緩衝片部２は、左右両側縁部２Ａ，２Ａに沿って縫着線部７，７が縫製されて、防具本体部１の表て面１Ａと緩衝片部２の裏面２Ｂとの間に、横断面三日月形状の空隙部１０が形成されている。
【００１６】
上述した本発明のエルボガードの使用方法（作用）について説明する。
図６に示すように、本発明のエルボガード（図１，図２参照）にボールＢが衝突すると、緩衝片部２の表て面に強い衝撃力Ｆ０が付与される。このとき、緩衝片部２は、図中矢印Ｍ１，Ｍ２に示すような曲げが生じ、衝撃エネルギーを瞬間的に吸収する。このようにして、防具本体部１に伝わる衝撃が大きく軽減される。即ち、ボールＢが緩衝片部２に衝突した際、空隙部１０によって緩衝片部２の変形が許容されて、衝撃エネルギーを瞬間的に吸収する。かつ、図６と図７に矢印Ｆ１，Ｆ１にて示すように、左右両側方へ衝撃力が分散しつつ防具本体部１の左右両側縁に伝達され、しかも、上下方向にも分散しつつ伝達されるので、防具本体部１及び使用者の腕への衝撃が和らぐ。従って、防具本体部１・緩衝片部２によって、使用者の腕を打撲させたり骨折させたりしないよう保護することができる。
【００１７】
なお、本発明は、設計変更可能であって、例えば、防具本体部１は、平板状の硬質保護板５や折曲状の硬質保護板５を内有しても良い。また、図４に示す緩衝片部２は、硬質弯曲芯材６の裏面側に発泡体１２を有するものでも良い。発泡体１２を内有することで、厚み方向の弾性圧縮変形にてボールＢの衝撃をより多く吸収できる利点がある。
【００１８】
以上のように、本発明に係るエルボガードは、硬質保護板５を内有する防具本体部１の表て面１Ａに、緩衝片部２が縫着され、上記防具本体部１の表て面１Ａと上記緩衝片部２の裏面２Ｂとの間に、空隙部１０が形成されたので、空隙部１０によって緩衝片部２の変形が許容されてボールＢの衝撃エネルギーを瞬間的に吸収でき、打者の腕を確実に保護できる。軽量化でき、プレーの邪魔にならず、打者が快適にプレーできる。
【００１９】
また、上記緩衝片部２は、左右両側縁部２Ａ，２Ａに沿って縫着線部７，７が縫製されているので、ボールＢが衝突して緩衝片部２に強い衝撃力Ｆ０が付与された際、緩衝片部２が変形して衝撃エネルギーを瞬間的に吸収でき、ボールＢの衝撃から使用者の腕を確実に保護できる。
【符号の説明】
【００２０】
１  防具本体部
１Ａ  表て面
２  緩衝片部
２Ａ  側縁部
２Ｂ  裏面
５  硬質保護板
７  縫着線部
１０  空隙部
【図１】
0006257679.tif 000002
【図２】
0006257679.tif 000003
【図３】
0006257679.tif 000004
【図４】
0006257679.tif 000005
【図５】
0006257679.tif 000006
【図６】
0006257679.tif 000007
【図７】
0006257679.tif 000008